(57)【要約】【課題】管体内部の先端に光波測量用の反射体を挿通することで、直接的に管体先端部の位置を測量することできる測量治具及び測量方法を提供すること。【解決手段】管体１０の傾きを測量するための測量治具１であって、測量治具１は、管体１０の内部に挿通可能な架台２０と、架台２０に固定された光波測量用の反射体２１と、架台２０に接続されたロープ３とからなり、反射体２１の中心が、管体１０の内円の略中心になるように配置されていることを特徴とする測量治具。【選択図】図１
2017106765.tif 000002
【特許請求の範囲】
【請求項１】
管体の傾きを測量するための測量治具であって、
前記測量治具は、前記管体の内部に挿通可能な架台と、該架台に固定された光波測量用の反射体と、該架台に接続されたロープとからなり、
前記反射体の中心が、前記管体内円の略中心になるように配置されていることを特徴とする測量治具。
【請求項２】
前記架台に、前記測量治具の総重量が、管体内に生じる浮力に抵抗できる所定の重さを有する重石が固定されたことを特徴とする請求項１に記載の測量治具。
【請求項３】
前記架台の下面に、回転可能なキャスタが固定されたことを特徴とする請求項１又は２に記載の測量治具。
【請求項４】
管体を斜めに打設し、
前記管体に挿通可能な架台と、該架台に固定された光波測量用の反射体とを具備する本体部と、該架台に接続されたロープとからなる測量治具を、該ロープを送り出しながら該本体部を該管体の頭部から先端部へ該管体内部に挿通し、
前記管体の頭部から視準することによって前記反射体の座標を光波測量することを特徴とする斜め管体の測量方法。
【発明の詳細な説明】
【技術分野】
【０００１】
本発明は、橋梁や防波堤等の既設構造物を支持するための基礎杭としての斜杭、地中や水中の既設構造物周辺地盤への液状化対策等に適用される薬液注入を行うための斜めに敷設した注入管の出来形計測のための測量治具及び測量方法に関するものである。
【背景技術】
【０００２】
従来から、橋梁や防波堤等の既設構造物は、風荷重，地震時慣性力や波力等の水平外力による影響を大きく受けるため、基礎杭として鉛直杭と比較してはるかに大きな引抜抵抗力を期待できる斜杭が広く適用されている。
また、地中や水中に敷設されたカルバートトンネルや沈埋トンネル等の既設構造物周辺地盤の液状化が懸念される場合、一般に対策工として薬液注入等の地盤改良が適用される場合が多い。例えば、既設構造物直下の地盤に薬液注入改良を施すためには、既設構造物の底版を削孔して注入する方法もあるが、鉄筋の切断や出水のリスクを伴い、その施工は困難を極める。この場合、既設構造部の外側から斜め方向に注入管を挿入した注入方法が採用されている。
【０００３】
斜杭，斜めの注入管のいずれにおいても、杭や管（以下、「管体」という。）の先端部が所定の計画位置に到達していることを確認することが極めて重要であるにもかかわらず、そのための出来形管理が難しい。
【０００４】
そこで、特許文献１に記載の指標治具は、複数の杭体を斜めに打設し、直線状の延伸材と前記延伸材に直交し、かつ互いに直交し合う直交材とからなる指標治具を前記杭体の上部に取り付け、前記杭体の杭頭の平面位置を測量すると共に、前記指標治具を測量することによって前記杭体の傾斜角をそれぞれの杭体について確認する。
杭頭の平面位置及び傾斜角から、各杭先端部の位置を計算により求めることが可能となる。
【０００５】
しかしながら、特許文献１で開示されている方法は、杭体の上部に取り付けた指標治具を測量した傾きを杭体全長の傾きに置き換えているため、管体の長さが長くなるほど地中や水中に没している管体の反りや曲り等の影響で、管体先端部の位置の精度が悪くなる。
【先行技術文献】
【特許文献】
【０００６】
【特許文献１】特開２００５−２４８６６１号公報
【発明の概要】
【発明が解決しようとする課題】
【０００７】
本発明の目的は、管体内部の先端に光波測量用の反射体を挿通することで、直接的に管体先端部の位置を測量することができる測量治具及び測量方法を提供することである。
【課題を解決するための手段】
【０００８】
本発明の測量治具は、管体の傾きを測量するための測量治具であって、前記測量治具は前記管体の内部に挿通可能な架台と該架台に固定された光波測量用の反射体と該架台に接続されたロープとからなり、前記反射体の中心が、前記管体内円の略中心になるように配置されていることを特徴とするものである。
【０００９】
また、本発明の斜め管体の測量方法は、管体を斜めに打設し、前記管体に挿通可能な架台と、該架台に固定された光波測量用の反射体とを具備する本体部と、該架台に接続されたロープとからなる測量治具を、該ロープを送り出しながら該本体部を該管体の頭部から先端部へ該管体内部に挿通し、前記管体の頭部から視準することによって前記反射体の座標を光波測量することを特徴とするものである。
【００１０】
かかる測量治具及びの斜め管体の測量方法によれば、気中に露出している管体頭部の位置座標と、管体頭部付近の傾き及び管体の長さから管体先端部の位置を間接的に算出するのではなく、直接的に、管体先端部の地中や水中に没している管体先端部の位置を精度良く測量することができる。
【００１１】
また、前記架台に前記測量治具の総重量が、管体内に生じる浮力に抵抗できる所定の重さを有する重石が固定されていても良い。
【００１２】
地下水や海水等で、管体内部が水に満たされていても、管体内に生じる浮力に抵抗できる重石を架台に固定することで、確実に管体先端部まで測量治具を配置することができる。
【００１３】
さらに、前記架台の下面に、回転可能な車輪を有するキャスタを固定すれば、管体内部が反りや曲り、継ぎ目の不陸等があっても、円滑に管体先端部へ測量治具を配置することができる。
【発明の効果】
【００１４】
本発明の簡単な構造である測量治具を使用した測量方法を用いることによって、管体先端部の位置（座標）を直接的に精度良く測量することができる。また、杭体ごとに指標治具等の装置を別途設ける必要がなく経済的である。
また、管内が水で満たされている場合は、浮力に抵抗できる程度の重石を架台に取り付けておくことで、測量治具を確実かつ速やかに管体先端部に配置することができる。
さらに、管体に反りや曲りなどの変形があり、継ぎ目に目違い等の不陸があっても、架台の下面に回転可能な車輪を有するキャスタを設けることで、測量治具を円滑に所定の位置に誘導することができる。
【図面の簡単な説明】
【００１５】
【図１】本発明の実施形態に係る測量治具の俯瞰図である。
【図２】本発明の実施形態に係る測量治具を管体内に配置した断面図である。
【図３】本発明の実施形態に係る沈埋函体の下部地盤への薬液注入するための仮設設備概要図である。
【図４】本発明の実施形態に係る沈埋函体の下部地盤への薬液注入するための管体頭部から管体先端へ測量治具を挿通している作業状況図である。
【発明を実施するための形態】
【００１６】
本発明の測量治具の構成を図１及び図２（ａ）に示す。
本発明の測量治具１は、本体部２とロープ３とからなり、本体部２は、架台２０と光波測量用の反射体２１とから形成される。
架台２０は木製であり、管体１０の内空に挿通可能な寸法とし、平面視長方形の板材を用いた。その素材は、木製に限定されず、使用に耐えられる剛性を有しており、容易に任意の寸法や穴開け等の加工が容易であることが好ましい。
【００１７】
架台２０の平面視長手方向略中心の前方付近に、本体部２を管体１０内部に挿通することが可能なように、ロープ３を取り付ける。ロープ３は、細長い繊維を撚り合わせたもので、牽引を目的として使用される一般的な綱を用いた。ロープ３は、架台２０に回動可能な接続部材３０を介して架台２０の上面に取り付けられている。ロープ３は、管体１０の先端部付近に、本体部２を配置すること、及び測量終了後、管体１０外部へ本体部２を引き出すことを目的として使用されるため、その素材は綱に限定されないが、巻き取りが容易な柔軟な素材が好ましく、過度に伸縮性の良い素材は避けた方が良い。
【００１８】
反斜体２１は長方形の薄い金属板をＬ字形に折り曲げて形成されており、Ｌ字の踵が架台２０の後方に向くように、接続部材３０の取り付け位置より若干後方に架台２０に固定されている。反斜体２１の後方視正面には、トータルステーション等、光波測量に用いる反射シールが貼付けられている。反射シールは、架台２０の平面視長手方向略中心に該反射シールの中心軸が合うように位置調整されている。反射体２１は、光波測量のターゲットとしての用途を満たせば、実施形態に限定されず、例えば、プリズム等でも良い。
なお、前記反射シールの視準中心（以下、反斜体２１の中心という。）は、管体１０の略中心に位置するように配置されている。
【００１９】
架台２０の下面の４隅近傍には、回転可能な車輪が付いたキャスタ２０１，２０１，２０１，２０１がそれぞれ固定されている。車輪はプラスック製の単輪を用いているが、所定の剛性を有していれば素材はゴムでも金属でも良く、形状も双輪でも球状でも良い。また、キャスタ２０１の上面にはネジ穴が付いており、４本のネジにより取付けられている。本体部２は、管体１０の内部前後を自由に行き来できれば良いため、車輪は前後方向にのみ移動できる固定式を採用した。自由自在に移動できる自在式を適用した場合、移動に拘束力が働かないため、反射体２１の中心が管体１０の中心から容易にずれる可能性があり、実施に際しては、固定式の方が望ましい。
【００２０】
架台２０には、略５００ｍｌのペットボトル容器に水を入れたものを重石とした重石４を、容器のキャップが架台２０の前方に向くように２本の係留線２０１，２０１で架台２０に押し付けるように巻きつけた。係留線２０１，２０１の端部は、固定部２０３，２０３，２０３，２０３で架台２０に固定されている。実施形態における係留線２０１及び固定部２０３には、針金及びクギを用いた。重石４は、架台２０に一体に固定できればよく、当該方法に限定されない。例えば、ガムテープを重石４と架台２０を一体に巻き付けて固定しても良い。
【００２１】
図２（ｂ）に、架台２０の別な実施形態を示す。反射体２１の中心が管体１０の略中心に位置すれば、管体１０の内径より曲率の小さい舟形の架台２０’を用いても良い。架台２０は、箱型にして内容物の種類や量を調整することで重量を制御したり、舟形外面に摩擦抵抗を低減するための突起をつけることも可能である。
【００２２】
次に、本発明の斜め管体の測量方法を図３及び図４を用いて説明する。
図３は、不図示の既設沈埋函渠下部地盤の液状化対策として、薬液注入を行うための斜め管体１０，１０，１０・・・を仮設桟橋１１上から打設した後の施工完了時の概略図である。既設沈埋函の函渠下部地盤に注入するために、管体１０には所定の角度を設けなければならず、管体１０の頭部に陸地が無い場合は、やむを得ず同図に示すような仮設桟橋１１が必要となる。
【００２３】
図４は、仮設桟橋１１上で作業員が、打設後の管体１０頭部開口から、測量治具１のロープ３を順次送り出し、本体部２を管体１０の先端部付近に配置した後、光波測量を行おうとしている状況図である。
仮設桟橋１１上で、斜めに打設された管体１０の頭部開口部から、ロープ３を順次送り出しながら、管体１０の内部に測量治具１の本体部２を挿通する。本体部の後端部が管体１０の先端付近まで到達したことを確認した後、光波測量を行い、反斜体２１の位置を測量する。反斜体２１の中心位置が管体１０の略中心からずれている場合は、ロープ３を引張ったり、緩めたりしながら位置の補正を行う。また、管内部が濁水で満たされている場合等、視認性が悪い場合は、必要に応じて透明な清水等に置き換えておくことが望ましい。
【００２４】
以上、本発明の実施形態について説明したが、当該実施形態によれば、簡単な構造の測量治具１を使用した測量方法を用いることができるため、管体１０先端部付近の位置（座標）を直接的に精度良く測量することができる。
また、管内１０が水で満たされている場合は、浮力に抵抗できる程度の重石４を架台２０に取り付けておくか、重量を調整した舟形の架台２０’を用いることで、測量治具１の本体部２を速やかに管体先端部に配置することができる。
さらに、管体に反りや曲りなどの変形があり、継ぎ目に目違い等の不陸があっても、架台の下面に回転可能な車輪を有するキャスタを設けることで、測量治具を円滑に所定の位置に誘導することができる。
【符号の説明】
【００２５】
１           測量治具
２           本体部
２０         架台
２０１      キャスタ
２０２       係留線
２０３       固定部
２１         反射体
３           ロープ
３０         接続部材
４           重石
１０         管体
１１        仮設桟橋
１２        光波測量器
【図１】
2017106765.tif 000003
【図２】
2017106765.tif 000004
【図３】
2017106765.tif 000005
【図４】
2017106765.tif 000006